(57)【要約】【課題】  投入口の周囲に付着した生ごみが腐敗しない生ごみ処理機を提供する。【解決手段】  生ごみ処理機１は、投入した生ごみを撹拌して微生物により分解させる処理槽２からなり、処理槽２は、生ごみを投入するための投入口５を有し、投入口５は、投入蓋６で封止され、処理槽２の中に、封止状態の投入蓋６の裏面に向かって水を噴射する投入口洗浄シャワー２８を設けたものとする。【選択図】図１
2006212531.tif 000002
【特許請求の範囲】
【請求項１】
投入した生ごみを撹拌して微生物により分解させる処理槽からなり、
前記処理槽は、生ごみを投入するための投入口を有し、
前記投入口は、投入蓋で封止され、
前記処理槽の中に、封止状態の前記投入蓋の裏面に向かって水を噴射する投入口洗浄シャワーを設けたことを特徴とする生ごみ処理機。
【請求項２】
前記投入口洗浄シャワーは、前記投入口の縁を外側に延伸した立ち上がり部の内面に向かっても水を噴射することを特徴とする請求項１に記載の生ごみ処理機。
【請求項３】
前記投入蓋は、前記投入口の内側に突出して前記立ち上がり部の内面に密接する嵌合部を有することを特徴とする請求項１または２に記載の生ごみ処理機。
【請求項４】
前記嵌合部は、前記立ち上がり部の内面に密接するパッキンを有することを特徴とする請求項３に記載の生ごみ処理機。
【請求項５】
生ごみの分解工程中の所定のタイミングで前記投入口洗浄シャワーから水を噴射させる制御手段を有することを特徴とする請求項１から４のいずれかに記載の生ごみ処理機。
【請求項６】
前記投入口の近傍に前記投入口洗浄シャワーからの水の噴射を開始させる手動スイッチを設けたことを特徴とする請求項１から５のいずれかに記載の生ごみ処理機。
【請求項７】
前記生ごみ処理機は、前記処理槽の中に処理水を貯留して、前記処理水の中で生ごみを分解する湿式の生ごみ処理機であることを特徴とする請求項１から６のいずれかに記載の生ごみ処理機。
【請求項８】
前記投入口洗浄シャワーは、前記処理水を供給するシスターンからポンプで送り出された水を噴射することを特徴とする請求項７に記載の生ごみ処理機。
【請求項９】
前記ポンプは、前記処理槽の排水溝に設けた網に向かって水を噴射する外部シャワーに送水するポンプであることを特徴とする請求項８に記載の生ごみ処理機。
【請求項１０】
前記ポンプから前記投入口洗浄スプレーおよび前記外部シャワーまでの配管にそれぞれ電磁弁を設けたことを特徴とする請求項９に記載の生ごみ処理機。
【発明の詳細な説明】
【技術分野】
【０００１】
本発明は、生ごみを微生物によって分解させる生ごみ処理機、特に業務用の生ごみ処理機に関する。
【背景技術】
【０００２】
生ごみを樹木粉等のチップ或いは処理水の中に投入し、撹拌しながら微生物（バイオ菌）によって分解するゴミ処理機は公知である。例えば、特許文献１には、生ごみを処理水中で微生物によって分解する湿式の生ごみ処理機が開示されている。
【特許文献１】特開２００２−３３６８３０号公報
【０００３】
従来の湿式の生ごみ処理機は、生ごみを分解するために分散させる処理水を貯留する処理槽からなり、生ごみを投入するために、投入蓋で封止可能な投入口が設けられている。
【０００４】
従来のごみ処理機では、生ごみを投入する際、投入口の立ち上がり部の内面に、特に作業者に近い側に生ごみが付着しやすい。また、攪拌機の動作や、処理水の導入などで処理槽に貯留した生ごみを含む処理水が跳ね上げられて投入蓋の裏面や立ち上がり部の内面に飛沫が付着することもある。投入蓋の裏面や立ち上がり部の内面に付着した生ごみは、微生物によって衛生的に分解されないで腐敗してしまう場合が多い。腐敗した生ごみは、不衛生であるだけでなく、悪臭を放ち、新たに分解処理すべき生ごみを投入するために投入蓋を開けた作業者を耐え難い悪臭に晒すという問題がある。
【発明の開示】
【発明が解決しようとする課題】
【０００５】
そこで、本発明は、前記問題点に鑑みて、投入口の周囲に付着した生ごみが腐敗しない生ごみ処理機を提供することを課題とする。
【課題を解決するための手段】
【０００６】
前記課題を解決するために、本発明による生ごみ処理機は、投入した生ごみを撹拌して微生物により分解させる処理槽からなり、前記処理槽は、生ごみを投入するための投入口を有し、前記投入口は、投入蓋で封止され、前記処理槽の中に、封止状態の前記投入蓋の裏面に向かって水を噴射する投入口洗浄シャワーを設けたものとする。
【０００７】
この構成によれば、投入口洗浄シャワーが投入蓋の裏面を洗い流すので、生ごみが投入蓋の裏面に付着したまま腐敗しない。
【０００８】
また、本発明の生ごみ処理機において、前記投入口洗浄シャワーは、前記投入口の縁を外側に延伸した立ち上がり部の内面に向かっても水を噴射してもよい。
【０００９】
この構成によれば、生ごみが付着しやすい投入口の縁の立ち上がり部をも確実に洗い流すので、投入口の周囲に生ごみが付着したまま腐敗しない。
【００１０】
また、本発明の生ごみ処理機において、前記投入蓋は、前記投入口の内側に突出して前記立ち上がり部の内面に密接する嵌合部を有してもよい。
【００１１】
この構成によれば、投入蓋の投入口に対する密接が不十分な場合にも、水滴は投入口と投入蓋の隙間を上向きに遡らなければ処理槽の外側に出ることができない。このため生ごみを含む水が外部に流れ出しにくい。
【００１２】
また、本発明の生ごみ処理機において、前記嵌合部は、前記立ち上がり部の内面に密接するパッキンを有してもよい。
【００１３】
この構成によれば、生ごみを含む水を処理槽の内部に確実に封じ込められる。
【００１４】
また、本発明の生ごみ処理機において、生ごみの分解工程中の所定のタイミングで前記投入口洗浄シャワーから水を噴射させる制御手段を有してもよい。
【００１５】
この構成によれば、生ごみの分解工程中の運転開始時や運転終了時に自動的に投入口の周囲を洗い流すことで、作業者が特別な操作を行わなくても生ごみの腐敗を防止できる。
【００１６】
また、本発明の生ごみ処理機において、前記投入口の近傍に前記投入口洗浄シャワーからの水の噴射を開始させるスイッチを設けてもよい。
【００１７】
この構成によれば、作業者はいつでも容易に投入口を洗浄でき、投入蓋に点検窓を設けた場合にも、好きなときに点検窓を洗浄して視界を確保できる。
【００１８】
また、本発明の生ごみ処理機は、前記処理槽の中に処理水を貯留して、前記処理水の中で生ごみを分解する湿式の生ごみ処理機であってもよい。
【００１９】
この構成によれば、投入蓋を洗浄した水が生ごみの処理能力に影響を与えにくい。
【００２０】
また、本発明の生ごみ処理機において、前記投入口洗浄シャワーは、前記処理水を供給するシスターンからポンプで送り出された水を噴射してもよい。
【００２１】
この構成によれば、投入口洗浄シャワーに使用した水量は、給水口から供給される処理水から差し引かれるので、処理水と微生物の量のバランスが狂わない。
【００２２】
また、本発明の生ごみ処理機において、前記ポンプは、前記処理槽の排水溝に設けた網に向かって水を噴射する外部シャワーに送水するポンプであってもよく、前記ポンプから前記投入口洗浄スプレーおよび前記外部シャワーまでの配管にそれぞれ電磁弁を設けてもよい。
【００２３】
この構成によれば、専用のポンプが必要ないので構造が簡単であり、電磁弁を設ければ作業者に負担を課すことなく自動的に投入口洗浄スプレーと外部シャワーを切り換えられる。
【発明の効果】
【００２４】
以上のように、本発明によれば、投入口付近に付着した生ごみを洗い流すので、付着した生ごみが腐敗して悪臭を放つことがない。
【発明を実施するための最良の形態】
【００２５】
以下、本発明の実施形態を、図面を参照しながら説明する。
図１は、本発明の実施形態である湿式の業務用生ごみ処理機１を示す。生ごみ処理機１は、生ごみを分解するために分散させる処理水を貯留する処理槽２からなる。処理槽２は、撹拌モータ３で駆動される撹拌翼４を有し、投入口５の投入蓋６を外して生ごみを投入できるようになっている。投入口５は、角形、丸形、扇型、その他いかなる形状にすることもできる。
【００２６】
さらに、生ごみ処理機１は、処理槽２より上方に設けたシスターン７を有し、処理水は、電磁弁８を開放することでストレーナ９を通して給水口１０から処理槽２の中に重力により供給される。シスターン７は、ボールタップ１１により一定量の水を貯留して処理槽２に所定量の処理水を供給できるようになっている。
【００２７】
また、処理槽２は、廃水濾過網１２が取り付けられたオーバーフロー開口１３から溢れ出した処理水をオーバーフロー槽１４で回収して配水管１５を通して図示しない浄化槽または下水道に排水する。オーバーフロー槽１４の中には排水濾過網１２の外側に水を浴びせるように噴射する外部シャワー１６が設けられ、外部シャワー１６には、電磁弁１７を開放してシスターン７から内部シャワー１０に給水する配管から分岐してポンプ１８で加圧した水を給水するようになっている。
【００２８】
さらに、処理槽２には液面センサ１９が設けられ、排水濾過網１２が詰まって異常に液面が上昇したこと検知できる。さらに、生ごみ処理機１は、微生物を含む液体からなる処理剤（液体バイオ）を収容したバイオタンク２０から所定量の処理剤を吸い出して処理槽２の中に注入するバイオポンプ２１を有している。以上の各構成要素の動作は、制御盤（制御手段）２２によって制御される。
【００２９】
また、ごみ処理機１において、処理水には、微生物が着床して効果的に生ごみを分解できるように、排水濾過網１２を通過しない大きさの発泡樹脂製の基材２３が投入される。
【００３０】
ごみ処理機１の投入口５は、開口の縁部を外側上方に延伸した立ち上がり部２４が形成され、投入蓋６は、裏面から突出し、投入口５の立ち上がり部２４の内側に嵌合するスリーブ状の嵌合部２５が設けられている。投入蓋６の嵌合部２５の外周には、立ち上がり部２４と密接するように帯状のパッキン２６が取り付けられている。さらに、投入蓋６の中央部には、外部から処理槽２の中を確認できるようにガラスが嵌め込まれた点検窓２７が設けられている。
【００３１】
処理槽２の内部には、投入口５の直下よりもやや処理槽２の中央寄りで処理水の液面よりも上方に、投入口５を封止している状態の投入蓋６の裏面と投入口５の立ち上がり部２４の内面とに、特に処理槽２の胴壁側（作業者の手前側）の立ち上がり部２４の内面に向かって水を噴射できるように投入口洗浄シャワー２８が設けられている。本実施形態の投入口洗浄シャワー２８は、図２に示すように、パイプの側面に穴を開けたものであるが、いかなる形状であってもよく、市販のスプレーノズルやシャワーボールなどを利用してもよい。投入口洗浄シャワー２８への給水は、制御盤２２がポンプ１８の吐出側の分岐に設けた電磁弁２９を開閉することで行う。
【００３２】
また、処理槽２は、投入口５の立ち上がり部２４の外側に、投入蓋６で投入口５を封止したときに投入蓋６の端部が当接してＯＮするリミットスイッチ３０が設置されており、投入口５の近傍に、作業者が操作できる手動スイッチ３１が設けられている。リミットスイッチ３０および手動スイッチ３１の出力は制御盤２２に入力される。
【００３３】
続いて、以上の構成からなる生ごみ処理機１の動作を説明する。
生ごみ処理機１において、作業者は、所定量の基材２３と処理剤が投入された処理水が貯留されている状態の処理槽２内に投入蓋６を外して生ごみを投入する。このとき、作業者は、生ごみを入れた容器（ポリバケツ）を処理槽２胴壁側（作業者の手前側）の立ち上がり部２４の上端に倒置するように載置して、処理槽２内に生ごみを投入する場合が多い。すると、生ごみが立ち上がり部２４の内面を滑り落ちるが、一部の生ごみが立ち上がり部２４の内面とその直下の処理槽２の胴壁内面に付着する。
【００３４】
処理槽２に貯留した処理水中に投入された生ごみは、処理剤が添加された処理水中で攪拌翼４により撹拌されるうちに、添加された処理剤中の微生物（バイオ菌）によって分解される。しかし、上がり２４の内面とその直下の処理槽２の胴壁内面に付着した生ごみは、処理剤の微生物に分解されず、放置すると腐敗してしまう。
【００３５】
そこで、本実施形態においては、作業者が制御盤２２を操作して生ごみ処理のサイクルを開始させると、先ず、制御盤２２は、電磁弁２９を開いてポンプ１８を起動し、投入口洗浄シャワー２８から水を一定時間噴射させて、投入蓋６の裏面、立ち上がり部２４の内面およびその直下の処理槽２の胴壁内面に付着した生ごみを処理水中に洗い流してから処理サイクルを実行する。
【００３６】
処理サイクルは、例えば、撹拌モータ３で撹拌翼４を３０秒間正転してから３０秒間逆転した後１０秒間停止する一連の工程を繰り返す運転工程を１５分間行い、５分間停止する休止工程を行うというサイクルを繰り返す。運転工程中、撹拌翼４を正転するときは、給水口１０から処理水を供給して、微生物が生ごみを分解する際に消費する酸素を供給する。一方、撹拌翼４を逆転するときは、外部シャワー１６から排水濾過網１２に水を噴射して排水濾過網１２の目詰まりを防止する。そして、休止工程中に、投入口洗浄シャワー２８から水を一定時間噴射して、運転中に投入蓋６の裏面や立ち上がり部２４の内面に飛散して付着した生ごみを洗い流す。外部シャワー１６と投入口洗浄シャワー２８は、シスターン７から同じポンプ１８で給水されるが、制御盤２２が電磁弁１７、２９のいずれか一方を選択して外部シャワー１６と投入口洗浄シャワー２８のいずれか一方から水を噴射させる。また、処理剤は、処理サイクルの継続中、所定量が例えば６時間おきに添加される。
【００３７】
また、生ごみ処理機１は、作業者が制御盤２２を操作して運転中に処理サイクルを停止した場合にも、投入口洗浄シャワー２８から水を一定時間噴射する。さらに、作業者が手動スイッチ３１を押下すれば、やはり、一定時間、投入口洗浄シャワー２８から水が噴射される。ただし、リミットスイッチ３０がＯＮしていないときは、投入蓋６が投入口５を封止するように適切に閉められていないと判断し、制御盤２２がポンプ１８や撹拌モータ３を作動させないようになっている。
【００３８】
さらに、図２に、投入口５と投入蓋６の代案の形状を示す。この投入蓋６の嵌合部２５は、投入蓋６の投入口５を封止する面を全体に投入口５の内部に突出させて、処理槽２の壁面と面一になるように形成されている。
【００３９】
このような投入口５と投入蓋６の形状は、投入口洗浄シャワー２８を処理槽２の中央上方寄りに設置しても水が当たらない死角が発生しないので、投入口５の周囲および投入蓋６の裏面に付着した生ごみを確実に洗い流すことができる。
【００４０】
以上のように、生ごみ処理機１は、処理サイクルの開始時、処理サイクル中の休止工程中、および処理サイクルの停止時に、投入口洗浄シャワー２８から水を一定時間噴射して、投入蓋６の裏面、立ち上がり部２４の内面およびその直下の処理槽２の胴壁内面に付着した生ごみを処理水中に洗い流すので、投入口５の周囲に付着した生ごみが腐敗することがなく、衛生的であり、悪臭の発生も防止できる。
【００４１】
また、生ごみ処理機１は、処理サイクルの途中で運転を停止する際も、投入口洗浄シャワー２８から水を噴射するので、投入口５の周囲に生ごみが付着した状態で放置されることもなく、衛生的である。
【００４２】
さらに、手動スイッチ３１を押せば投入口洗浄シャワー２８から水を噴射するので、作業者は、いつでも点検窓２７の内面を清掃して処理槽２の中の状態を容易に確認できる。
【００４３】
また、投入蓋６に嵌合部２５を設けたことで、投入口洗浄シャワー２８から噴射された水は、投入蓋６のパッキン２６と立ち上がり部２４の密接している部分に直接には到達できず、さらに投入蓋６の裏面を伝い下りた水は立ち上がり部２４を上方に遡らなければ処理槽２の外部に漏れ出ることができない。よって、生ごみを含んだ水が投入口から漏れ出ることがなく衛生的である。
【００４４】
また、生ごみ処理機１では、投入口洗浄シャワー２８から噴射される水は、シスターン７から供給される。このため、投入口洗浄シャワー２８から噴射されて処理槽２の中に供給された水の量は、給水口１０から供給される水の量から差し引かれることになり、全体として供給される水量が安定するので、処理槽２内に貯留される処理水を微生物の活動を活発に維持できる条件に保つことができる。
【００４５】
以上、湿式の生ごみ処理機１について説明してきたが、本発明の投入口洗浄シャワーは、微生物の活動条件を阻害しない範囲で乾式の処理機に適用することも出来る。
【図面の簡単な説明】
【００４６】
【図１】本発明の生ごみ処理機の実施形態を示す断面図。
【図２】図１の生ごみ処理機の投入口洗浄シャワーを示す斜視図。
【図３】図１の生ごみ処理機の投入口と投入蓋の変形例を示す部分断面図。
【符号の説明】
【００４７】
１  生ごみ処理機
２  処理槽
５  投入口
６  投入蓋
７  シスターン
１０  給水口
１２  廃水濾過網
１６  外部シャワー
１８  ポンプ
１９  電磁弁
２２  制御盤（制御手段）
２４  立ち上がり部
２５  嵌合部
２６  パッキン
２８  投入口洗浄シャワー
２９  電磁弁
３１  手動スイッチ
【図１】
2006212531.tif 000003
【図２】
2006212531.tif 000004
【図３】
2006212531.tif 000005